(57)【特許請求の範囲】
【請求項１】
操作用のハンドルに連動するスピンドルと同スピンドルに連係してタンク内貯溜水を排出する排水弁体を有し、上記スピンドルを作動位置に移動させることにより排水弁体が開弁され、スピンドルの作動位置が小排水のときは、水の水勢により排水弁体が閉弁され、スピンドルの作動位置が大排水のときは、排水完了のとき排水弁体が閉弁され、スピンドルを非作動位置に復帰させる洗浄タンク装置において、スピンドルにＬの字状の先端部を有する連動桿を設け、タンク内壁のスピンドル取付穴周辺に基盤を固定し、基盤上に設けた中心軸に懸垂形の回転体を、下部をスピンドル側に付勢した状態で設け、回転体は、連動捍の回転軌跡にくい込む周辺と、その周辺の上端に、排水適正位置に上昇回転する連動捍を嵌入する切欠部を設け、又、スピンドル側下部に、水中から水面露出で重力増加し、その作用で、回転体をスプリングに抗する逆回転をさせ、連動捍のロック状態を解除する働きのある重量物を、鎖で水中に垂下するように設けたことを特徴とする洗浄タンク装置。
【請求項２】
連動捍の回転軌跡にくい込む周辺と、その周辺の上端に、排水適正位置に上昇回転する連動捍を嵌入する切欠部を設け、又、スピンドル側下部に、水中から水面露出で重力増加し、その作用で、回転体をスプリングに抗する逆回転をさせ、連動捍のロック状態を解除する働きのある重量物を、鎖で水中に垂下するように設けた回転体を小用排水用回転体（以下、小用回転体）とし、基盤上、スピンドルをはさんで片側に設け、反対側に、連動捍の回転軌跡にくい込む周辺と、その周辺の上端に、排水適正位置に上昇回転する連動捍を嵌入する切欠部を設けた回転体を、大用排水用回転体（以下、大用回転体）として設け、大用回転体は、連動捍に接触する周辺の下部に大きな切り取り部を設け、その下部を小用回転体側に延長して形成する。小用回転体は、下部先端部に垂下している重量物に、更に連結具で重量物を追加し、又、先端部にかぎ形をした連係棒を延長付加し、小用回転体が、追加した重量物の水面露出による重力増加により回転するとき、連係棒が大用回転体をスプリングに抗した逆回転させ、大用回転体が嵌入した連動捍のロック解除をさせる位置に設けることを特徴とする洗浄タンク装置。
【発明の詳細な説明】
【技術分野】
【０００１】  本発明は、タンク本体から便器に流す洗浄水の量を大用洗浄水量と小用洗浄水量に切換え、それぞれの水量を自由に設定できる便器洗浄タンク装置に関する。
【背景技術】
【０００２】  従来のタンク排水調整装置は、大別して、排水弁装置部と操作ハンドル装置部とに分けられる。本発明は、操作ハンドル装置部に関するものであり、その分野における技術として、次のようなものがある。【０００３】  操作ハンドル回動に連動するスピンドルが排水弁体開弁状態に回動すると、スピンドルに設けられたカムと周辺部に配設されたロッドとがロック状態になり、スピンドルが固定保持され、タンク内排水が行なわれ、タンク内水位が一定量下降すると、オーバーフロー管の外周面を摺動降下する浮沈体の連結部材により、ロッドが引張られ、ロック状態が解除され排水が停止するという装置で、精密なカムとロッドのロック機構と、ロック解除に固定位置にあるオーバーフロー管を利用するというものがある。（例えば、特許文献１参照。）。【０００４】  また、ハンドル回転部のタンク外壁と操作ハンドルの間に、ダンパー装置を設け、ハンドル回転にともない、スピンドルが排水弁開弁方向に回転すると、閉弁方向に付勢力をもった排水弁体が、スピンドルを直ちに閉弁方向に回転させようとするが、この回転速度を、ダンパー装置の粘性抵抗による回動抵抗力により、大用排水用ハンドル回転角度大のときは長時間、小用排水用ハンドル回転角度小のときは短時間遅らせる作用させ、必要量の排水を調整するものもある。（例えば、特許文献２参照。）。【０００５】  また、スピンドルに作用するように設けられたタイマー装置が、タンク内壁側にブラッケットを介して壁面に固定されており、スピンドルの大用排水回転時のみ、復帰回転速度をタイマー装置で遅らせ、排水弁部材の閉弁を遅らせ、排水を調整している。この機構は、大用排水時のみ作用し、タンク内に残溜する水（死水）の量を少なくするためのものである。（例えば、特許文献３参照。）。
【先行技術文献】
【特許文献】
【０００６】
【特許文献１】  公開特許公報  昭５８−１７８７３３
【特許文献２】  公開特許公報  特開平１０−２１９７８４
【特許文献３】  公開特許公報  特開平９−１９５３５４
【発明の概要】
【発明が解決しようとする課題】
【０００７】  以上に述べた従来の水洗便所用タンク大小定量排水装置の操作ハンドル装置部門では、スピンドルの排水動作の位置を固定するための装置、解除をするための装置、回転速度遅延装置、タイマー装置、ダンパー装置等に精密な多種の部材が使用され、或は、設計自由度の少ない固定位置にあるオーバーフロー管を利用するなどの問題がある。【０００８】  本発明は、このような従来の装置が有している精密な多種の部材の必要性を少なくし、設計の自由度を拘束するオーバーフロー管の不使用等により、構成部品を少数、単純化し、大小排水量の調整を自由に行える装置を実現することを目的とするものである。
【課題を解決するための手段】
【０００９】  そして、本発明は、上記目的を達成するために、操作用のハンドルに連動するスピンドルと同スピンドルに連係してタンク内貯溜水を排出する排水弁体を有し、上記スピンドルを作動位置に移動させることにより排水弁体が開弁され、スピンドルの作動位置が小排水のときは、水の水勢により排水弁体が閉弁され、スピンドルの作動位置が大排水のときは、排水完了のとき排水弁体が閉弁され、スピンドルを非作動位置に復帰させるタンク排水装置において、スピンドルにＬの字状の先端部を有する連動桿を設け、タンク内壁のスピンドル取付穴周辺に基盤を固定し、基盤上に設けた中心軸に懸垂形の回転体を、下部をスピンドル側に付勢した状態で設ける。回転体は、連動捍の回転軌跡にくい込む周辺と、その周辺の上端に、排水適正位置に上昇回転する連動捍を嵌入する切欠部を設け、又、スピンドル側下部に、水中から水面露出で重力増加し、その作用で、回転体をスプリングに抗する逆回転をさせ、連動捍のロック状態を解除する働きのある重量物を、鎖で水中に垂下するように設けたことを特徴とするものである。【００１０】  また、第２の課題解決手段は、上記第１の課題解決手段で述べた回転体を小用排水用回転体（以下、小用回転体）とし、基盤上、スピンドルをはさんで片側に設け、反対側に第１の課題解決手段に準じた回転体を、ただし、垂下する重量物を除いた形で、大用排水回転体（以下、大用回転体）として設ける。大用回転体は、連動捍に接触する周辺の下部に大きな切り取り部を設け、その下部を小用回転体側に延長して形成する。小用回転体は、下部先端部に垂下している重量物に、更に連結具で重量物を追加し、又、同、先端部にかぎ形をした連係棒を延長付加し、小用回転体が、追加した重量物の水面露出による重力増加により回転するとき、連係棒が大用回転体をスプリングに抗した逆回転させ、大用回転体が嵌入した連動捍のロック解除をさせる位置に設けることを特徴とするものである。【００１１】  上記第１の課題解決手段による作用は、次の通りである。すなわち、ハンドルに直結したスピンドルに固定された連動捍とタンク内壁に固着された基盤に設置された回転体と垂下した重量物という主要部品にて構成し、装置を非常に単純化することにしている。ただし、この手段は、小用排水の場合のみであり、大用排水は通常の貯溜水全量排水完了によるものとする。【００１２】  また、第２の課題解決手段による作用は、大排水用と小排水用とに分別しており、大排水量、小排水量は共に、連結具の長さ、重量物の形状により、又、大排水の水勢、小排水の水勢は共に、連動捍の上昇回転角度により、それぞれ自由に調整できるものである。
【発明の効果】
【００１３】  上述したように本発明の水洗便所用タンク大小定量排水装置は、ほとんど接触摩擦はなく、構成部品点数も少なく、装置の単純化とコスト低減に効果を発揮するものである。
【図面の簡単な説明】
【００１４】
【図１】  本発明の実施形態をタンク内部より見た要部斜視図である。
【図２】  同内部構造の基盤部分のみの斜視図である。
【図３】  同内部構造で、スピンドル先端部を省略した非作動状態を示す正面図である。
【図４】  図３のＡ−Ａ線断面図である。
【図５】  図３のＢ−Ｂ線断面図と、重量物の垂下状態を示す側面図と、排水弁体を連結したスピンドル先端部の側面図との合成である。
【図６】  図３のＣ−Ｃ線断面図である。
【図７】  小用洗浄水排水状態の、連動捍のロック解除直前の連動捍、小用回転体、タンク内水面の位置との相関正面図である。
【図８】  大用洗浄水排水状態の、連動捍のロック解除直前の連動捍、小用回転体の連係棒、大用回転体、タンク内水面の位置との相関正面図である。
【発明を実施するための形態】
【００１５】  以下、本発明の実施の形態を図１〜図８に基ずいて説明する。
【００１６】  図１は、本発明の一実施の形態の要部斜視図である。スピンドル１０と一体回転する連動捍１１をスピンドルの根元近くに固着させ、連動捍１１のＬの字に曲げた先端部１２は、回動可能な回動筒部１３を外嵌して、スピンドルと平行な位置で回転する。タンク内壁１６に固着した基盤１７の上に、スピンドルを中心として、その右側に、小用回転体１４を配し、左側に大用回転体１５を配している。図２は、タンク内壁１６に固着させる基盤１７の斜視図であり、基盤１７上に設けた（小用）突起部１８Ａと（大用）突起部１８Ｂには、小用回転体１４の中心軸１９Ａと大用回転体の中心軸１９Ｂとが設けられ、小用回転体１４、大用回転体１５をそれぞれ懸垂の形にて設置するのである。
【００１７】  図３において、小用回転体１４、大用回転体１５は基盤１７上の（小用）スプリング２０Ａ、（大用）スプリング２０Ｂの付勢力により、小用回転体１４の周辺の一部２１Ａと大用回転体１５の周辺の一部２１Ｂとが連動捍が描く円周軌跡２２より内側に入りこむように、押出され、一方、基盤上の（小用）回転止め部２３Ａと（大用）回転止め部２３Ｂで連動捍１１との最適の接触位置に調整される。
【００１８】  ハンドル操作により、スピンドルと同時に連動捍１１の先端部１２が下方から、回転上昇すると、回転体のスピンドル側の（小用）周辺２１Ａと（大用）周辺２１Ｂは、連動捍１１に摺動、押圧されるのである。それぞれの周辺の上端に、連動捍１１が、小用排水、又は、大用排水の適正作動位置に上昇回転したとき、その連動捍１１を嵌入する（小用）．切欠部２４Ａと（大用）切欠部２４Ｂを設ける。切欠部の（小用）底面２５Ａと（大用）底面２５Ｂは、それぞれの回転体の（小用）中心軸１９Ａと（大用）中心軸１９Ｂとで連動捍１１を支える曲面とし、切欠部の（小用）上面２６Ａと（大用）上面２６Ｂは、ひさし状になる形で突出させ、連動捍１１の過剰回転を防止する。
【００１９】  小用回転体１４の下部のスピンドル側に延長した下部先端部２７に、垂下する（小用）重量物２８Ａと（大用）重量物２８Ｂが、タンク内壁１６に接触しないように、タンク中心部に突出させた懸垂棒２９（図５、参照）を設け、その先端に、（小用）玉鎖３０Ａにて小用回転体用の（小用）重量物２８Ａを、続いて（大用）玉鎖３０Ｂにて大用回転体用の（大用）重量物２８Ｂを、タンク内、洗浄水満水Ｗ０の水中に垂下する。重量物は、それぞれ、水中での浮力を考慮して、比重１に近い構造とする。
【００２０】  小用回転体１４の最先端３１にカギ状の形の先端部３２を持つ連係棒３３を大用回転体１５方向に延長付加する。
【００２１】  大用回転体１５のスピンドル側の下部に小用回転体１４の連係棒３３を、とりこむ形の大きな切りとり部３４を設け、その下部延長部３５を小用回転体１４方向に延長して形成する。
【００２２】  小用回転体１４の連係棒３３は、小用回転体１４の静止位置から、図７の小用排水の連動捍１１のロック解除状態までは、大用回転体１５の大きな切りとり部３４に接触せず、図８のように、小用回転体１４が、それ以上回転すると、小用回転体１４の連係棒３３が大回転体１５の下部延長部３５を、接触、摺動、圧迫する形状とする。
【００２３】  以下、上記構成の動作を説明する。図７において、ハンドル（図示せず）を小用洗浄水側に回すと、連動捍１１は反時計回りに円周軌跡２２を画いて回転し、小用回転体１４の周辺２１Ａを接触、摺動、圧迫して上昇し、小用排水動作角度θ１に達したとき、スプリング２０Ａにより付勢された小用回転体１４の切込部２４Ａが連動捍１１を嵌入し、排水が継続する。連動捍１１が、更に、上方に回転しようとしても切欠部上面のひさし部２６Ａで停止される。
【００２４】  図７は、小用洗浄水排水の連動捍のロック解除直前の動作図であるが、小用排水量が適正水量になると、タンク内の水面がＷ１に下がり、水中に垂下している（小用）重量物２８Ａが水面露出し、重力増加により、小用回転体の下部先端部２７に作用し、小用回転体１４を、スプリングに抗した反時計方向に回転させる。それにより、連動捍１１のロックが解除され、したがってスピンドルが復帰し、排水弁が閉弁され、排水が停止するのである。なお、小用洗浄水の排水量は、（小用）重量物２８Ａをつなぐ玉鎖３０Ａの長さと、（小用）重量物２８Ａの形状とにより自由に調整される。又、排水の水勢の強さは、連動捍１１の上昇回転角度θ１の大小により調整される。
【００２５】  図８は、大用洗浄水排水時の動作図で、ハンドル（図示せず）を大用洗浄水側に回すと、連動捍１１は時計回りに回転し、大用回転体１５の周辺２１Ｂを、接触、摺動、圧迫して上昇し、大用排水動作角度θ２に達したとき、スプリング２０Ｂにより付勢された大用回転体１５の切欠部２４Ｂが連動捍１１を嵌入し、排水が継続される。タンク内の水面が小用排水量Ｗ１までは、小用回転体１４が回転しても連係棒３３は大用回転体１５に触れず、以後、排水が続くと、連係棒３３が大用回転体下部延長部３５に接触し、タンク内水面が、大用排水量の適正水量の水面Ｗ２に降下すると、（大用）重量物２８Ｂの水面露出による重力増加により、小用回転体１４が更に反時計回りに回転し、したがって最先端の連係棒３３も、下方、反時計方向に回転する。
【００２６】  大用回転体１５の下部、切りとり部３４の下部の小用回転体方向への延長部３５が、上記、小用回転体の連係棒３３で接触、摺動、圧迫され、それにより大用回転体１５は、スプリングに抗した時計方向に回転され、ロックされた連動捍１１が解除され、スピンドルが復帰し、排水弁が閉弁され、排水が停止する。なお、大用洗浄水の排水量は、（小用）重量物２８Ａと（大用）重量物２８Ｂとをつなぐ玉鎖の長さ３０Ｂと、（大用）重量物２８Ｂの形状とにより自由に調整される。又、大用排水の水勢の強さは、連動捍１１の上昇回転角度θ２の大小により調整される。ところで、大用排水の水勢をより強くするため、連動捍１１の上昇回転角度θ２を大きくするときは、排水弁体３６を浮力に影響されず常に閉弁方向への力を有している形態にするものとする。
【００２７】  実施例として、小用回転体１４から、連係棒３３と（大用）重量物２８Ｂを撤去し、他方、大用回転体１５の下部に小用回転体１４の（小用）重量物２８Ａに準じた重量物を垂下させ、それぞれ、独自に、連動捍１１のロック解除動作を持たせてもよい。
【００２８】  なお、この発明は、上記の実施形態に限られるものでなく、その要旨を逸脱しない範囲において、種々の態様において、実施することが可能である。
【符号の説明】
【００２９】    １０    スピンドル
１１    連動捍
１２    連動捍の先端部
１３    回動筒部
１４    小用回転体
１５    大用回転体
１６    タンク内壁
１７    基盤
１８Ａ  （小用）突起部
１８Ｂ  （大用）突起部
１９Ａ  （小用）中心軸
１９Ｂ  （大用）中心軸
２０Ａ  （小用）スプリング
２０Ｂ  （大用）スプリング
２１Ａ  （小用）周辺の一部
２１Ｂ  （大用）周辺の一部
２２    円周軌跡
２３Ａ  （小用）回転止め部
２３Ｂ  （大用）回転止め部
２４Ａ  （小用）切欠部
２４Ｂ  （大用）切欠部
２５Ａ  （小用）切欠部の底面
２５Ｂ  （大用）切欠部の底面
２６Ａ  （小用）切欠部の上面（ひさし部）
２６Ｂ  （大用）切欠部の上面（ひさし部）
２７    小用回転体の下部先端部
２８Ａ  （小用）重量物
２８Ｂ  （大用）重量物
２９    懸垂棒
３０Ａ  （小用）玉鎖
３０Ｂ  （大用）玉鎖
３１    小用回転体の最先端
３２    かぎ状の形の先端部
３３    連係棒
３４    大きな切りとり部
３５    大きな切りとり部の下部延長部
３６    排水弁体
θ１    連動捍の小用排水動作角度
θ２    連動捍の大用排水動作角度
Ｗ０    洗浄水、満水の水面
Ｗ１    小用洗浄水、適正排水の水面
Ｗ２    大用洗浄水、適正排水の水面
【図１】
0005392663.tif 000002
【図２】
0005392663.tif 000003
【図３】
0005392663.tif 000004
【図４】
0005392663.tif 000005
【図５】
0005392663.tif 000006
【図６】
0005392663.tif 000007
【図７】
0005392663.tif 000008
【図８】
0005392663.tif 000009